【手続補正書】
【提出日】平成17年3月2日(2005.3.2)
【手続補正１】
【補正対象書類名】明細書
【補正対象項目名】特許請求の範囲
【補正方法】変更
【補正の内容】
【特許請求の範囲】
【請求項１】
複数の走査線と、
複数のデータ線と、
前記複数の走査線と前記複数のデータ線との交差部に対応して設けられた複数のトランジスタ回路と、を含み、
前記複数のトランジスタ回路の各々は、
第１ゲート、第１ソース及び第１ドレインを有し、前記第１ゲートに供給される入力信号に応じて前記第１ソース及び前記第１ドレイン間のコンダクタンスが制御される第１のトランジスタと、
第２ゲート、第２ソース及び第２ドレインを有し、前記第２ゲートに供給された走査信号に応じて前記第２ソース及び前記第２ドレイン間のコンダクタンスが制御される第２のトランジスタと、を含み、
前記入力信号は、前記複数のデータ線のうちの対応するデータ線及び前記第２のトランジスタを介して前記第１ゲートに供給され、
ダイオード接続された第３のトランジスタを利用して、前記対応するデータ線及び前記第２のトランジスタを介して前記第１ゲートに前記入力信号が供給される際に前記第１のトランジスタのしきい値のばらつきを補償すること、
を特徴とするアレイ基板。
【請求項２】
請求項１に記載のアレイ基板において、
前記第１のトランジスタ及び前記第３のトランジスタはともにＮチャネル型であること、
を特徴とするアレイ基板。
【請求項３】
請求項２または３に記載のアレイ基板において、
前記第１のトランジスタ及び前記第３のトランジスタはともにＰチャネル型であること、
を特徴とするアレイ基板。
【請求項４】
請求項１乃至３のいずれかに記載のアレイ基板において、
前記第１のトランジスタのしきい値と前記第３のトランジスタのしきい値は一致すること、
を特徴とするアレイ基板。
【請求項５】
請求項１乃至４のいずれかに記載のアレイ基板において、
前記第３のトランジスタを介して前記入力信号が前記第１ゲートに供給されること、
を特徴とするアレイ基板。
【請求項６】
請求項１乃至５のいずれかに記載のアレイ基板において、
前記入力信号が供給される前に前記第１ゲートは、所定の電圧にリセットされること、
を特徴とするアレイ基板。
【請求項７】
複数の走査線と、
複数のデータ線と、
前記複数の走査線と前記複数のデータ線との交差部に対応して設けられた複数のトランジスタ回路と、を含み、
前記複数のトランジスタ回路の各々は、
第１ゲート、第１ソース及び第１ドレインを有し、前記第１ゲートに供給される入力信号に応じて前記第１ソース及び前記第１ドレイン間のコンダクタンスが制御される第１のトランジスタと、
第２ゲート、第２ソース及び第２ドレインを有し、前記第２ゲートに供給された走査信号に応じて前記第２ソース及び前記第２ドレイン間のコンダクタンスが制御される第２のトランジスタと、
前記第１のドレイン及び前記ソースのいずれかに接続された電流制御型素子と、を含み、
前記入力信号は、前記複数のデータ線のうちの対応するデータ線及び前記第２のトランジスタを介して前記第１ゲートに供給され、
ダイオード接続された第３のトランジスタを利用して、前記対応するデータ線及び前記第２のトランジスタを介して前記第１ゲートに前記入力信号が供給される際に前記第１のトランジスタのしきい値のばらつきを補償すること、
を特徴とする表示パネル。
【請求項８】
請求項７に記載の表示パネルにおいて、
前記第１のトランジスタ及び前記第３のトランジスタは同じ導電型であること、
を特徴とする表示パネル。
【請求項９】
請求項７または８に記載の表示パネルにおいて、
前記電流制御型素子は、発光素子であること、
を特徴とする表示パネル。
【請求項１０】
請求項７乃至９のいずれかに記載の表示パネルにおいて、
前記第１のトランジスタのしきい値と前記第３のトランジスタのしきい値は一致すること、
を特徴とする表示パネル。
【請求項１１】
請求項７乃至１０のいずれかに記載の表示パネルにおいて、
前記第３のトランジスタを介して前記入力信号が前記第１ゲートに供給されること、
を特徴とする表示パネル。
【請求項１２】
請求項７乃至１１のいずれかに記載の表示パネルにおいて、
前記電流制御型素子には、前記第１のトランジスタの前記コンダクタンスに応じたレベルを有する駆動電流が流れること、
を特徴とする表示パネル。
【請求項１３】
請求項７乃至１２のいずれかに記載の表示パネルにおいて、
前記入力信号が供給される前に前記第１ゲートは、所定の電圧にリセットされること、
を特徴とする表示パネル。
【請求項１４】
請求項７乃至１３のいずれかに記載の表示パネルを備えたこと
を特徴とする電子機器。
【請求項１５】
請求項１乃至６のいずれかに記載のアレイ基板と、
前記第１ソース及び前記第１ドレインのいずれかと接続された電流制御型素子と、
を含む電子機器。
【手続補正２】
【補正対象書類名】明細書
【補正対象項目名】発明の名称
【補正方法】変更
【補正の内容】
【発明の名称】アレイ基板、表示パネル及び電子機器
【手続補正３】
【補正対象書類名】明細書
【補正対象項目名】０００８
【補正方法】変更
【補正の内容】
【０００８】
【課題を解決するための手段】
本発明のアレイ基板は、複数の走査線と、複数のデータ線と、前記複数の走査線と前記複数のデータ線との交差部に対応して設けられた複数のトランジスタ回路と、を含み、前記複数のトランジスタ回路の各々は、第１ゲート、第１ソース及び第１ドレインを有し、前記第１ゲートに供給される入力信号に応じて前記第１ソース及び前記第１ドレイン間のコンダクタンスが制御される第１のトランジスタと、第２ゲート、第２ソース及び第２ドレインを有し、前記第２ゲートに供給された走査信号に応じて前記第２ソース及び前記第２ドレイン間のコンダクタンスが制御される第２のトランジスタと、を含み、前記入力信号は、前記複数のデータ線のうちの対応するデータ線及び前記第２のトランジスタを介して前記第１ゲートに供給され、ダイオード接続された第３のトランジスタを利用して、前記対応するデータ線及び前記第２のトランジスタを介して前記第１ゲートに前記入力信号が供給される際に前記第１のトランジスタのしきい値のばらつきを補償すること、を特徴とする。
上記のアレイ基板において、前記第１のトランジスタ及び前記第３のトランジスタはともにＮチャネル型であってもよい。
上記のアレイ基板において、前記第１のトランジスタ及び前記第３のトランジスタはともにＰチャネル型であってもよい。
上記のアレイ基板において、前記第１のトランジスタのしきい値と前記第３のトランジスタのしきい値は一致することが好ましい。
上記のアレイ基板において、前記第３のトランジスタを介して前記入力信号が前記第１ゲートに供給されることが好ましい。
上記のアレイ基板において、前記入力信号が供給される前に前記第１ゲートは、所定の電圧にリセットされることが好ましい。
本発明の表示パネルは、複数の走査線と、複数のデータ線と、前記複数の走査線と前記複数のデータ線との交差部に対応して設けられた複数のトランジスタ回路と、を含み、前記複数のトランジスタ回路の各々は、  第１ゲート、第１ソース及び第１ドレインを有し、前記第１ゲートに供給される入力信号に応じて前記第１ソース及び前記第１ドレイン間のコンダクタンスが制御される第１のトランジスタと、第２ゲート、第２ソース及び第２ドレインを有し、前記第２ゲートに供給された走査信号に応じて前記第２ソース及び前記第２度レイン間のコンダクタンスが制御される第２のトランジスタと、前記第１のドレイン及び前記ソースのいずれかに接続された電流制御型素子と、を含み、前記入力信号は、前記複数のデータ線のうちの対応するデータ線及び前記第２のトランジスタを介して前記第１ゲートに供給され、ダイオード接続された第３のトランジスタを利用して、前記対応するデータ線及び前記第２のトランジスタを介して前記第１ゲートに前記入力信号が供給される際に前記第１のトランジスタのしきい値のばらつきを補償することを特徴とする。
上記の表示パネルにおいて、前記第１のトランジスタ及び前記第３のトランジスタは同じ導電型であることが好ましい。
上記の表示パネルにおいて、前記電流制御型素子は、発光素子であってもよい。
上記の表示パネルにおいて、前記第１のトランジスタのしきい値と前記第３のトランジスタのしきい値は一致することが好ましい。
上記の表示パネルにおいて、前記第３のトランジスタを介して前記入力信号が前記第１ゲートに供給されることが好ましい。
上記の表示パネルにおいて、前記電流制御型素子には、前記第１のトランジスタの前記コンダクタンスに応じたレベルを有する駆動電流が流れることが好ましい。
上記の表示パネルにおいて、前記入力信号が供給される前に前記第１ゲートは、所定の電圧にリセットされることが好ましい。
本発明の第１の電子機器は、上記の表示パネル及びを備えたことを特徴とする。
本発明の第２の電子機器は、上記のアレイ基板と、前記第１ソース及び前記第１ドレインのいずれかと接続された電流制御型素子とを含んでいる。
また本発明のトランジスタ回路は上記課題を解決するために、第１ゲート、第１ソース及び第１ドレインを有し、該第１ゲートに供給される入力信号の電圧に応じて該第１ソース及び第１ドレイン間のコンダクタンスが制御される駆動用トランジスタと、第２ゲート、第２ソース及び第２ドレインを有し、該第２ゲートが該第２ソース及び第２ドレインの一方に接続されており、該第２ソース及び第
２ドレインを介して前記入力信号が前記第１ゲートに供給されるように且つ前記第１ゲートに対し前記コンダクタンスを低める方向の電荷移動を可能とする向きで前記第１ゲートに接続された補償用トランジスタとを備えたことを特徴とする。